(57)【要約】      （修正有）【課題】被検者の不安感を軽減する。【解決手段】磁気共鳴装置１００は、表示パネル４０を有している。表示パネル４０は、被検者４に画像を表示する表示画面４０ａを有している。表示パネル４０は検査室１０の天井１０ａに取り付けられている。表示パネル４０の表示画面４０ａは、テーブル３に対向するように設けられており、被検者４がクレードル３ａに仰向けの状態で横になると、被検者４は表示画面４０ａを見ることができる。したがって、被検者４は、クレードル３ａに横になっている間、表示画面４０ａに表示される画像を見ることができる。【選択図】図５
2013226277.tif 000002
【特許請求の範囲】
【請求項１】
被検者を支持するテーブルと表示画面を有する表示部とを有する医用装置であって、
前記表示画面の少なくとも一部は、前記テーブルの上側に位置し、且つ前記テーブルに対向している、医用装置。
【請求項２】
前記医用装置は検査室に配置されており、
前記表示部は、前記検査室の天井に取り付けられている、請求項１に記載の医用装置。
【請求項３】
前記医用装置は磁気共鳴装置又はＣＴ装置である、請求項２に記載の医用装置。
【請求項４】
前記医用装置は、マグネットを有する磁気共鳴装置であり、
前記表示部は、前記マグネットに取り付けられている、請求項１に記載の医用装置。
【請求項５】
前記マグネットは、前記テーブルの上側にまで突出した突出部分を有し、
前記表示部は、前記マグネットの突出部分と前記マグネットの前面とを覆うように取り付けられている、請求項４に記載の医用装置。
【請求項６】
前記マグネットは検査室に配置されており、
前記マグネットと前記検査室の天井との間の隙間を隠すための隙間隠し部材を有する、請求項４又は５に記載の医用装置。
【請求項７】
前記マグネットの側面に取り付けられた表示部を有する、請求項４〜６のうちのいずれか一項に記載の医用装置。
【請求項８】
前記マグネットのボアの内壁に取り付けられた表示部を有する、請求項４〜７のうちのいずれか一項に記載の医用装置。
【請求項９】
前記医用装置は、Ｘ線を照射するガントリを備えたＣＴ装置であり、
前記表示部は、前記ガントリに取り付けられている、請求項１に記載の医用装置。
【請求項１０】
前記ガントリは、前記テーブルの上側にまで突出した突出部分を有し、
前記表示部は、前記ガントリの突出部分と前記ガントリの前面とを覆うように取り付けられている、請求項９に記載の医用装置。
【請求項１１】
前記ガントリは検査室に配置されており、
前記ガントリと前記検査室の天井との間の隙間を隠すための隙間隠し部材を有する、請求項９又は１０に記載の医用装置。
【発明の詳細な説明】
【技術分野】
【０００１】
本発明は、被検者を支持するテーブルを有する医用装置に関する。
【背景技術】
【０００２】
磁気共鳴装置などの医用装置の普及によって、被検者の病気の早期発見や、より的確な診断ができるようになった。しかし、一方で、被検者の中には、医用装置の撮影に不安感を感じたり、苦手意識をもつ人も多い。例えば、磁気共鳴装置で撮影を行う場合、撮影スタッフは被検者をテーブルに寝かせて、被検者をマグネットのボア内に搬入するが、ボアの空間は狭いので、閉所恐怖症の人は不安感を感じることが多い。そこで、ボアの中にディスプレイを備え、ディスプレイに画像を表示させることで被検者が感じる不安感を低減する方法が提案されている（特許文献１参照）。また、被検者の不安感を軽減する方法として、ボアの中を明るくするためのボアライトを備える方法もある。
【先行技術文献】
【特許文献】
【０００３】
【特許文献１】特開２００３−１９０１１２号公報
【発明の概要】
【発明が解決しようとする課題】
【０００４】
しかし、撮影に苦手意識がある人は、テーブルに横になってボアに搬入されるのを待っている間にも不安を感じることがある。オペレータは、被検者をテーブルに横にした後、被検者にコイルを取り付けたり、造影剤撮影をする場合であれば造影剤注入装置のセッティングをするなど、撮影準備をする。したがって、被検者は、オペレータが撮影準備をしている間、テーブル上で、オペレータの作業が終わるのを待つ必要があり、このとき、被検者は、撮影の開始時間が近づいていることを実感し、不安を感じやすくなる。特に、女性や子供は不安感を感じやすい。そこで、被検者の不安感を軽減できることが望まれている。
【課題を解決するための手段】
【０００５】
本発明の一態様は、被検者を支持するテーブルと、表示画面を有する表示部とを有する医用装置であって、前記表示画面の少なくとも一部は、前記テーブルの上側に位置し、且つ前記テーブルに対向している医用装置である。
【発明の効果】
【０００６】
表示画面をテーブルに対向させることにより、被検者がテーブルに横になったときに表示画面の画像を見ることができるので、被検者が感じる不安感を低減することができる。
【図面の簡単な説明】
【０００７】
【図１】本発明の医用装置における第１の形態の磁気共鳴装置を示す斜視図である。
【図２】表示画面４０ａに被検者４の家族を表示している例を示す図である。
【図３】表示画面４０ａに森林を表示している例を示す図である。
【図４】クレードル３ａをｚ方向に移動させたときの様子を示す図である。
【図５】マグネット２の別の形状の一例を示す図である。
【図６】本発明の医用装置における第２の形態の磁気共鳴装置の斜視図である。
【図７】被検者４が検査室１０に入室したときの様子を示す図である。
【図８】マグネット２のボアの内壁に表示パネル４３を設けた場合の一例を示す図である。
【図９】本発明の医用装置における第３の形態の磁気共鳴装置の斜視図である。
【図１０】隙間隠し部材５０の斜視図である。
【図１１】隙間隠し部材５０の上面図である。
【図１２】隙間隠し部材５０を別の隙間隠し部材５０に重ねるときの説明図である。
【図１３】重ねられた隙間隠し部材で、マグネット２と天井１０ａとの間の隙間を隠した例を示す図である。
【図１４】本発明の医用装置における第４の形態の磁気共鳴装置の斜視図である。
【図１５】本発明の医用装置における第５の形態の磁気共鳴装置の斜視図である。
【図１６】被検者４が脚部をボア２１に向けた状態でテーブル３に横になっている様子を示す図である。
【図１７】クレードル３ａをボア２１に移動させたときの様子を示す図である。
【図１８】本発明の医用装置における第６の形態の磁気共鳴装置の斜視図である。
【発明を実施するための形態】
【０００８】
以下、本発明の医用装置として、磁気共鳴装置を取り上げて説明するが、本発明は、磁気共鳴装置に限定されることはなく、ＣＴ装置など、被検者を支持するためのテーブルを備えた医用装置に適用することができる。
【０００９】
（１）第１の形態
図１は、本発明の医用装置における第１の形態の磁気共鳴装置を示す斜視図である。
磁気共鳴装置１００は、マグネット２およびテーブル３などを有している。マグネット２およびテーブル３は検査室１０に配置されている。
【００１０】
マグネット２は、被検者４を収容するためのボア２１を有している。また、マグネット２には、超伝導コイル、勾配コイル、およびＲＦコイルなど（図示せず）が内蔵されている。
【００１１】
テーブル３は、被検者４を支持するためのクレードル３ａを有している。被検者４はクレードル３ａに横になっている。クレードル３ａがボア２１に移動することによって、被検者４がボア２１に搬入される。
【００１２】
また、磁気共鳴装置１００は、表示パネル４０を有している。表示パネル４０は表示画面４０ａを有している。表示パネル４０は検査室１０の天井１０ａに取り付けられている。表示パネル４０の表示画面４０ａは、テーブル３に対向するように設けられており、被検者４がテーブル３に仰向けの状態で横になると、被検者４は表示画面４０ａを見ることができる。したがって、被検者４は、テーブル３に横になっている間、表示画面４０ａに表示される画像を見ることができる。
次に、表示画面４０ａに表示される画像の幾つかの例について説明する。
【００１３】
図２および図３は、表示画面４０ａに表示された画像の例を示す図である。
オペレータは、事前に、被検者４から、表示させたい画像を聞いておき、被検者４の希望に合う画像を表示パネル４０に表示する。図２は、表示画面４０ａに、被検者４の家族を表示している例を示す図であり、図３は、森林を表示している例を示す図である。
【００１４】
オペレータは、被検者４をテーブル３に寝かせた後、被検者４にコイルを取り付けたり、造影剤撮影をする場合であれば造影剤注入装置のセッティングをするなど、撮影準備をする。したがって、被検者４は、オペレータが撮影準備をしている間、テーブル３上で、オペレータの作業が終わるのを待っている。このとき、被検者４は、撮影の開始時間が近づいていることを実感し、不安感を感じやすくなる。特に、女性や子供は不安感を感じやすい。しかし、図２および図３に示すように、表示パネル４０を天井１０ａに取り付けておき、表示画面４０ａに、被検者４が望む画像を表示しておけば、被検者４は、オペレータの作業が終わるまでの間、テーブルに３に横になった状態でも、家族の顔や森林の風景を見ることができるので、撮影直前に感じる不安感を低減することができる。
【００１５】
オペレータはコイルの取付作業など、必要な撮影準備を終了したら、マグネット２に設けられている操作ボタンを操作し、クレードル３ａをｚ方向に移動させる。
【００１６】
図４は、クレードル３ａをｚ方向に移動させたときの様子を示す図である。
クレードル３ａをｚ方向に移動させることにより、被検者４をボアに搬入することができる。被検者４をボアに搬入したら、被検者４の撮影を行う。尚、図４では、被検者４の頭部はボア２１の内側に位置しているので、被検者４は表示パネル４０の画像を見ることができない。したがって、被検者４をボア２１に搬入させた後は、表示パネル４０の電源は自動的にＯＦＦになる。このように、表示パネル４０の電源をＯＦＦにしておくことにより、無駄な電力消費を回避することができる。
【００１７】
被検者４の撮影が終了したら、表示パネル４０の電源は自動的にＯＮになる。したがって、表示パネル４０には被検者４の望む画像が表示される。そして、クレードル３ａが移動し、被検者４がボア２１から搬出される。したがって、被検者４は、ボア２１から搬出された直後に、表示画面４０ａに表示されている家族の顔や森林の風景を見ることができるので、安堵感を得ることができる。
【００１８】
尚、マグネット２の上面は湾曲形状であるが、マグネット２の形状はこれに限定されることはない。図５に、マグネット２の別の形状の一例を示す。図５では、マグネット２は直方形状に構成されている。このように、マグネット２は、種々の形状に構成することができる。
【００１９】
（２）第２の形態
図６は、本発明の医用装置における第２の形態の磁気共鳴装置の斜視図である。
磁気共鳴装置２００は、マグネット２およびテーブル３などを有している。マグネット２およびテーブル３は検査室１０に配置されている。マグネット２は、図５の磁気共鳴装置１００と同様に、直方形状に構成されている。
【００２０】
また、磁気共鳴装置２００は、表示パネル４０、４１、および４２を有している。
表示パネル４０は、検査室１０の天井１０ａに取り付けられている。
表示パネル４１はマグネット２の前面に取り付けられており、表示パネル４２はマグネット２の側面に取り付けられている。
【００２１】
オペレータは、被検者４に好みの景色や風景などを事前にインタビューしておき、被検者４から聞いた話を参考にして、表示パネル４０、４１、および４２に被検者４の望む画像を表示する。オペレータは、表示パネル４０、４１、および４２に被検者４の望む画像を表示させた後に、被検者４を検査室１０に入室させる（図７参照）。
【００２２】
図７は、被検者４が検査室１０に入室したときの様子を示す図である。
マグネット２には表示パネル４１および４２が取り付けられているので、被検者４は、検査室１０に入室したときに、これらの表示パネル４１および４２をすぐに確認することができる。表示パネル４１および４２には、被検者４の好みを反映した画像（図７では、森林）が表示されているので、被検者４は、検査室１０に入室した直後から自分の好みの画像を見ることができるので、撮影直前に感じる不安感を低減することができる。
【００２３】
また、被検者４はテーブル３に横になった後は、天井１０ａの表示パネル４０に表示された画像を見ることができる。したがって、被検者４はテーブル３に横になった後も、不安感を低減することができる。
【００２４】
尚、マグネット２のボアの内壁に表示パネルを設けてもよい。
図８は、マグネット２のボアの内壁に表示パネル４３を設けた場合の一例を示す図である。
ボア２１の内壁に表示パネル４３を設けているので、被検者４は、ボア２１の中でも表示パネル４３に表示された画像を見ることができる。したがって、被検者４は表示パネル４３に表示された画像を見ながらスキャンを受けることができるので、被検者４がスキャンの最中に感じる不安感を低減することもできる。
【００２５】
（３）第３の形態
図９は、本発明の医用装置における第３の形態の磁気共鳴装置の斜視図である。
第３の形態の磁気共鳴装置３００は、マグネット２と天井１０ａとの間の隙間を隠すための隙間隠し部材５０を備えているが、その他の構成は、第２の形態の磁気共鳴装置２００と同じである。したがって、第３の形態の説明に当たっては、隙間隠し部材５０について主に説明する。
【００２６】
図１０は隙間隠し部材５０の斜視図、図１１は隙間隠し部材５０の上面図である。
隙間隠し部材５０は正方形状の構造を有しており、マグネット２の上面に取り付けることができるように構成されている。隙間隠し部材５０を、マグネット２と天井１０ａとの間に配置することによって、マグネット２と天井１０ａとの間の隙間を隠すことができる。また、隙間隠し部材５０によってマグネット２が天井１０ａに繋がっているように見せることができるので、検査室１０内の空間に美感を持たせることもできる。
【００２７】
尚、図９では、一つの隙間隠し部材５０で、マグネット２と天井１０ａとの間の隙間を隠している。しかし、図１２に示すように、隙間隠し部材５０を別の隙間隠し部材５０に重ねることができるように構成し、重ねられた隙間隠し部材５０で、マグネット２と天井１０ａとの間の隙間を隠してもよい。
【００２８】
図１３は、重ねられた隙間隠し部材で、マグネット２と天井１０ａとの間の隙間を隠した例を示す図である。
マグネット２と天井１０ａとの間の隙間が広い場合、一つの隙間隠し部材では隙間を隠しきれないことがある。このような場合は、複数の隙間隠し部材を重ねることにより、マグネット２と天井１０ａとの間の隙間を完全に隠すことができる。尚、図１３では、２つの隙間隠し部材が重ねられた例が示されているが、マグネット２と天井１０ａとの間の隙間の幅に応じて、３つ以上の隙間隠し部材を重ねてもよい。
【００２９】
（４）第４の形態
図１４は、本発明の医用装置における第４の形態の磁気共鳴装置の斜視図である。
磁気共鳴装置４００は、マグネット２が天井１０ａに到達するように構成されているが、その他の構成は、第２の形態の磁気共鳴装置２００（図６参照）と同じである。
図１４に示すように、マグネット２の高さを天井１０ａの高さに一致させることにより、マグネット２の表示パネルの面積を広くすることができる。
【００３０】
（５）第５の形態
図１５は、本発明の医用装置における第５の形態の磁気共鳴装置の斜視図である。
磁気共鳴装置５００はマグネット２およびテーブル３などを有している。
【００３１】
マグネット２は、マグネット２の天井１０ａ側の部分２ｂが、テーブル３の上側にまで突出した形状を有するように構成されている。
【００３２】
また、マグネット２には表示パネル４０および４１が取り付けられている。表示パネル４０は、マグネット２の突出部分２ｂとマグネット２の前面とを覆うように取り付けられている。また、表示パネル４１はマグネット２の側面に取り付けられている。
【００３３】
マグネット２には表示パネル４０および４１が取り付けられているので、被検者４は、検査室１０に入室したときに、これらの表示パネル４０および４１をすぐに確認することができる。したがって、表示パネル４０および４１に、被検者４の好みを反映した画像を表示することにより、被検者４が撮影直前に感じる不安感を低減することができる。
【００３４】
また、表示パネル４０は、マグネット２の前面だけでなく、マグネット２の突出部分２ｂも覆うように取り付けられているので、表示パネル４０の表示画面４０ａの一部の画面４０ｂは、テーブル３に対向している。したがって、被検者４は、テーブル３に横になった後も、表示パネル４０の画面４０ｂに表示された画像を見ることができる。
【００３５】
尚、図１５には、被検者４は頭部をボア２１に向けた状態でテーブル３に横になっている様子が示されているが、撮影部位によっては、頭部ではなく、脚部をボア２１に向けた状態でテーブル３に横になることがある（図１６参照）。
【００３６】
図１６は、被検者４が脚部をボア２１に向けた状態でテーブル３に横になっている様子を示す図である。
撮影部位が例えば脚部の場合、被検者４は、図１６に示すように、脚部をボア２１に向けた状態でテーブル３に横になることが多い。この場合でも、被検者４は、テーブル３に横になった状態で表示パネル４０の画面４０ｂに表示された画像を見ることができるので、被検者４が感じる緊張感を和らげることができる。被検者４がテーブル３に横になった後、クレードル３ａをボア２１に移動させる（図１７参照）。
【００３７】
図１７は、クレードル３ａをボア２１に移動させたときの様子を示す図である。
撮影部位が脚部であるので、被検者４をボア２１に搬入しても、被検者４の頭部は、ボアの外側に出ている。このような場合は、表示パネル４０の表示画面４０ａに被検者４が見たい画像Ｘ（ここでは、被検者４の家族）を表示する。表示パネル４０は、マグネット２の突出部分２ｂからマグネット２の前面を覆うように取り付けられているので、被検者４の見やすい位置に画像Ｘを表示することができる。図１７では、画像Ｘは、表示画面４０ａの湾曲部分の画面４０ｃに表示されている。
【００３８】
被検者４は表示パネル４０に表示された画像を見ながらスキャンを受けることができるので、スキャンの最中に被検者４が感じる不安感を低減することもできる。
【００３９】
更に、表示パネル４０の近くには、被検者４を写すためのカメラ５が設置されている。カメラ５で写された画像は、磁気共鳴装置５００を操作するための操作室（図示せず）に備えられたモニタに表示される。したがって、操作室で作業をしている撮影スタッフは、モニタを通じて被検者４の表情を確認することができるので、被検者４に異変が生じてもすぐに対応することができる。
【００４０】
（６）第６の形態
図１８は、本発明の医用装置における第６の形態の磁気共鳴装置の斜視図である。
第６の形態の磁気共鳴装置６００は、マグネット２と天井１０ａとの間の隙間を隠すための隙間隠し部材５０を備えているが、その他の構成は、第５の形態の磁気共鳴装置５００と同じである。図１８に示すように、天井１０ａがマグネット２よりも高い場合には、隙間隠し部材５０を用いることができる。マグネット２と天井１０ａとの間の隙間の幅に応じて、２つ以上の隙間隠し部材を重ねてもよい。
【００４１】
尚、第１〜第６の形態では、表示画面４０ａに表示される画像として、家族や風景（森林）を表示した例が記載されているが、家族や風景に限定されることはない。例えば、被検者４の好きな言葉を表示してもよいし、テレビ番組や映画でもよい。また、表示画面４０ａには静止画を表示してもよいし動画を表示してもよい。
【００４２】
また、第１〜第６の形態では、医用装置として磁気共鳴装置を用いた例が示されているが、本発明は、被検体を支持するテーブルを有する医用装置であれば、磁気共鳴装置とは別の医用装置にも適用することができる。例えば、本発明をＣＴ装置に適用する場合には、表示部の表示画面の少なくとも一部が、ＣＴ装置のテーブルの上側に位置し、且つテーブルに対向するようにしておけばよい。また、ＣＴ装置は、Ｘ線を照射するガントリを有しているので、表示部をガントリに取り付けてもよい。更に、ガントリに、テーブルの上側にまで突出した突出部分を設け、ガントリの突出部分とガントリの前面とを覆うように表示部を設けてもよい。
【符号の説明】
【００４３】
２  マグネット
３  テーブル
３ａ  クレードル
１０  検査室
１０ａ  天井
２１  ボア
４０、４１、４２  表示パネル
４０ａ  画面
【図１】
2013226277.tif 000003
【図２】
2013226277.tif 000004
【図３】
2013226277.tif 000005
【図４】
2013226277.tif 000006
【図５】
2013226277.tif 000007
【図６】
2013226277.tif 000008
【図７】
2013226277.tif 000009
【図８】
2013226277.tif 000010
【図９】
2013226277.tif 000011
【図１０】
2013226277.tif 000012
【図１１】
2013226277.tif 000013
【図１２】
2013226277.tif 000014
【図１３】
2013226277.tif 000015
【図１４】
2013226277.tif 000016
【図１５】
2013226277.tif 000017
【図１６】
2013226277.tif 000018
【図１７】
2013226277.tif 000019
【図１８】
2013226277.tif 000020